(57)【要約】【課題】足関節の異常な外転を抑制して、足関節の障害に対する予防や治療、矯正に効果があって、安価容易に入手でき、しかも簡単に使用できるという足サポーターとしての機能を発揮させつつ、かかる矯正機能を併せ持つ履物を提供する。【解決手段】踵を後側から包み込むカップ状の当て布２と、該当て布２の内外の端部に両端が固定され、内外の踵の下方近傍を通り足背部に掛けられる所定の張力を有する装着帯３とで構成される足サポーター１を運動靴１０等の履物に具備させ、この足サポーターの張力で踵骨を前方に引き出すようにして固定できるようにする。【選択図】        図１
2004357791.tif 000002
【特許請求の範囲】
【請求項１】
踵部と足背部とを覆う部材からなり、前記足背部を覆う部分に所定の張力を有する弾性体を用いて構成される足サポーターを具備したことを特徴とする履物。
【請求項２】
踵を後側から包み込むカップ状の当て布と、該当て布の内外の端部に両端が固定され、内外の踝の下方近傍を通り足背部に掛けられる所定の張力を有する装着帯とで構成される足サポーターを具備したことを特徴とする履物。
【発明の詳細な説明】
【０００１】
【発明の属する技術分野】
本発明は、足関節の障害に対する予防や治療、矯正のために適した足サポーターを具備する履物に関する。
【０００２】
【従来の技術】
スポーツ等による足関節の障害の多くは、下肢に対して足部が背屈したときに足関節が外転、すなわち脛骨の前後軸に対して足部長軸が外側に向く状態となる異常運動に起因するといわれている。足関節に異常が生じると、足関節の可動域が制限されることにより、十分な前方への重心移動ができなくなり、運動に障害が出るばかりか、腰が後方に残る状態となるため、骨盤や脊柱にも悪影響を与える。このような異常運動の予防、及びそれに起因する障害の治療、矯正するための処置としては、現在、テーピングによる関節コントロールが主流になっている。
【０００３】
また、足関節の障害に対して矯正のための補助具や足底板、サポーター機能を有する靴下等も提案されている（例えば、特許文献１及び特許文献２参照）。但し、これらはあくまでサポーターとして構成されているものであり、いわゆる履物にかかる矯正機能を持たせたものは提案されていなかった。
【０００４】
【特許文献１】
特開２００１−１０４００８号公報
【特許文献２】
特開２００１−２６２４０５号公報
【０００５】
【発明が解決しようとする課題】
上記したテーピングによる関節コントロールは、足関節を固定してその動きを拘束するものであるから、足部の運動性が損なわれ、十分な運動能力を発揮できないという問題点がある。また、テーピングの措置が面倒であるとともに、使用したテープは使い捨てであるという経済的な理由から、軽度の練習や日常生活ではあまり使われないのが実情である。しかしながら、足関節の障害を未然に防ぐには、普段から何らかの予防処置を講じておくのが好ましい。
【０００６】
また、上記の参考文献１の足底板は、足底板に傾斜を設けて歩行時の体重移動の際に足に加わるねじれを吸収して足関節を安定させ、参考文献２の靴下は歩行時の足裏のねじれを吸収するため、足の親指及び小指を外方に拡げるよう構成されたものである。
【０００７】
しかし、上記参考文献１の足底板若しくは参考文献２の靴下は、いずれも足関節の異常な外転を抑制し、足関節の障害を防ぐものではなく、足関節の異常な外転を抑制する補助具等は一般に主流になっておらず、浸透していないため、手に入りにくいという問題点があった。
【０００８】
また、足サポーターとしてのみならず、かかる矯正機能を発揮しうる履物は提案されていなかった。そこで、本発明は、上記したように、足関節の異常な外転を抑制して、足関節の障害に対する予防や治療、矯正に効果があって、安価容易に入手でき、しかも簡単に使用できるという足サポーターとしての機能を発揮させつつ、かかる矯正機能を併せ持つ履物を提供することを課題とする。
【０００９】
【課題を解決するための手段】
上記課題を解決するために、本発明は次に示す構成とした。すなわち、本発明にかかる履物は、踵部と足背部とを覆う部材からなり、前記足背部を覆う部分に所定の張力を有する弾性体を用いて構成される足サポーターを具備したことを特徴としている。
【００１０】
図８乃至図１０に基づき、足関節の動作のメカニズムを説明すれば、一般に、足関節を背屈させると、内側の踝（脛骨）３０と外側の踝（ヒ骨）３１との間に距骨３２が嵌り込む。この距骨の嵌り込みが適正に行なわれないときに異常な足関節の外転が生じると考えられる。本発明の前提となる足サポーターを具備する履物を使用すると、踵部と足背部を覆う足サポーターの足背部が所定の張力を有しているため、かかる足背部分に用いられる弾性体の張力が踵骨３３を前方に引き出す力として作用し、踵骨３３が前方に誘導されることにより距骨３２の後方への移動が円滑に行なわれるようになり、内側の踝３０と外側の踝３１との間に距骨３２が適正に嵌り込む。これにより、足関節の異常な外転が抑制される。
【００１１】
特に、本発明の前提となる足サポーターを踵を後ろ側から包み込むカップ状当て布と、該当て布の内外の端部に両端が固定され、内外の踝の下方近傍を通り足背部に掛けられる所定の張力を有する装着帯とで構成すると、踵骨の引き上げ力がより確実に得られる。
【００１２】
また、上記構成において装着帯の一端が当て布に対し着脱自在であるようにすると、装着が容易になる。
【００１３】
【発明の実施の形態】
以下、図面に表された実施の形態について説明する。本発明の履物の主要な前提構成となる足サポーター１には右足用と左足用とがあるが、図１乃至図３は右足用を表示している。左足用は右足用の左右対称形になる。
【００１４】
符号２は踵部を覆う部材としての踵部を覆う当て布で、中央部が踵の形状に合わせたカップ状に成形され、内外の両端部が左右に張り出した形状をしている。この当て布２は、通気性が良好なメッシュ生地で出来ており、外周縁には補強用の縁布２ａが縫合されている。そして、当て布２の一方の端部に、足背部を覆う部材である弾性体としての装着帯３の一端部が縫い付けられている。また、当て布２の他方の端部と装着帯３の他端部とに、互いで１組の面ファスナー４，５が縫合されている。装着帯３はゴム紐製で、伸縮自在かつ折り曲げ自在であり、引っ張った状態では所定の張力を有する。
【００１５】
この足サポーター１を使用するに際しては、図４及び図５に示すように、踵に当て布２を宛がい、装着帯３を引き伸ばし面ファスナー４，５にて当て布２に止着する。このとき、装着帯３は内外の踝の下方近傍を通り足背部に掛けられた状態となっている。このように足サポーター１を装着した状態では、装着帯３の張力により当て布２が踵を前向き斜め上方に引き上げている。この踵を引き上げる方向は、足底面に対する角度α＝４５〜６０°程度とするのが好ましい。
【００１６】
上記のように足サポーター１を装着すると、下肢に対して足部を背屈させたとき、踵骨３３が前方に引き出されるとともに、距骨３２の後方への移動が円滑に行なわれ、内側の踝３０と外側の踝３１との間に距骨３２が適正に嵌り込む（図６〜８参照）。これにより、足関節の異常な外転が抑制され、足関節の安定性が増すのである。前記方向以外に力が作用しないので、足関節全体の運動性が損なわれることはない。むしろ、前方への重心移動を誘発することで、足の振り出しがスムーズになる。面ファスナー４，５の相互接着位置を変えることにより装着帯３の張力を任意に設定でき、適正な踵骨の引き上げ力が得られる。
【００１７】
上記のように足サポーター１の装着はきわめて簡単であり、装着ミスも少ない。また、装着帯３は伸縮自在であるから、多少の個人差には対応可能である。図例のように、当て布２と装着帯３とを着脱させる個所を内側に設けた方が、着脱操作が簡単であるので好ましい。
【００１８】
本発明は、上記した図１〜図５に示す構成の足サポーターを、運動靴、サンダル、スリッパ等の踵部に装備したことを特徴とするものであり、上記構成の足サポーターが発揮する足間接の障害に対する予防、治療、矯正などの効果を有する履物として提供するものであって、かかる履物を履く際に上記機能を発揮する足サポーターを装着できるように構成されている。上記した足サポーターの当て布を靴下の踵部に縫合し、靴下を装用する際に足サポーターが装着されるようにしてもよい。
【００１９】
図６は、上記構成の足サポーター１を固着した右足用の運動靴１０を外側側面から表示した図であり、足サポーター１はカップ状当て布２の内外両端部が運動靴１０の足首縁部１１の左右に張り出すように運動靴１０に固着されている。足サポーター１の運動靴１０への固着方法は外周縁２ａの一部又は全部を運動靴１０と縫合する方法によるほか、運動靴１０の踵部の内部を面ファスナーで構成するとともに、当て布２の外側全体をメッシュ状生地の代わりに面ファスナーで構成する、若しくはメッシュ生地を面ファスナーで覆うことにより、着脱可能に運動靴１０に固着することができる。当て布２の面ファスナー４と装着帯３の面ファスナー５との接着面は、図６では運動靴１０の内側になるよう構成されているが、外側に設けるようにしてもよい。
【００２０】
履物に固着された足サポーター１は履物を履いた状態で装着帯３を引き伸ばして面ファスナー４，５において当て布２に止着することにより装着され、踵骨の引き上げ力が得られる。
【００２１】
なお、単に運動靴足首付近に所定の張力を有する装着帯３のみを固着しても運動靴踵部が踵部を覆う部材として作用してある程度の踵骨３３の引き上げ力を得ることは可能であるため、運動靴のように踵部を有する履物に足サポーター１を固着する場合、カップ状当て布２を省略することもできる。しかし、踵骨１３の前方への誘導効果を確実に得るためには所定の張力を有する装着帯３を備えるカップ状の当て布２で踵全体を包む込むことが好ましい。
【００２２】
図７は、右足用のサンダル２０に上記構成の足サポーター１を固着したものを内側側面から見た場合を表示している。足サポーター１は少なくとも外周縁２ａの一部がサンダル底２１と縫合されることによりサンダル２０に固着される。足サポーター１をより確実にサンダル２０に固着し装着を容易にするため、足サポーター外周縁２ａの一部をサンダル底２１と縫合する他、サンダル底２１の踵部外縁部に沿って当て布２を靴底に縫い付けてもよい。
【００２３】
このようにサンダル、スリッパ等、踵部を有さない履物に足サポーター１を固着すれば履物を履く際に足サポーター１を容易に装着することができ、履物を履いた状態での足関節の異常な外転を抑制することができる。
【００２４】
【発明の効果】
以上に説明したように、本発明にかかる履物は、簡単な操作で足関節に装着することができ、装着により足部の背屈時に距骨の後方への移動が円滑に行なわれ、足関節の異常な外転を効果的に防止できる足サポーターを具備しているので、かかる履物を日常的に使用することによって、足間接の障害に対する予防、治療、矯正に適したものとなった。
【図面の簡単な説明】
【図１】本発明の主要部となる足サポーターの構成を示す正面図である。
【図２】足サポーターの平面図である。
【図３】足サポーターの側面図である。
【図４】足サポーターの使用状態を示す図その１である。
【図５】足サポーターの使用状態を示す図その２である。
【図６】足サポーターを有する運動靴の側面図である。
【図７】足サポーターを有するサンダルの側面図である。
【図８】内側から見た足部の骨格図である。
【図９】外側から見た足部の骨格図である。
【図１０】足底部から見た足部の骨格図である。
【符号の説明】
１  足サポーター
２  当て布
３  装着帯
４，５  面ファスナー
１０    運動靴
２０    サンダル
【図１】
2004357791.tif 000003
【図２】
2004357791.tif 000004
【図３】
2004357791.tif 000005
【図４】
2004357791.tif 000006
【図５】
2004357791.tif 000007
【図６】
2004357791.tif 000008
【図７】
2004357791.tif 000009
【図８】
2004357791.tif 000010
【図９】
2004357791.tif 000011
【図１０】
2004357791.tif 000012